(57)【要約】【課題】放送信号受信装置と双方向通信装置を備えたＣＡＴＶ用端末装置に置いて，簡単で安価な構成で前記双方向通信装置の出力レベルを低減させない。【解決手段】センター局側からＣＡＴＶ伝送路を介して伝送されてきた下り信号の周波数帯の信号成分のみを選択的に通過させ，該下り信号を複数の出力に信号分配するように構成した第１の下り信号入力経路と，当該下り信号入力経路の出力側に接続された放送信号受信装置と，下り信号入力経路における出力側の１つに接続された第１フィルタ回路と，当該第１フィルタ回路の出力側に接続された双方向通信装置と，当該双方向通信装置と前記第１フィルタ回路の接続点に接続されて，双方向通信装置とセンター局側とをＣＡＴＶ伝送路を介して接続するための，上り信号の周波数帯の信号のみを選択的に通過させる第１の上り信号接続経路と，からなる。【選択図】  図１
2005176113.tif 000002
【特許請求の範囲】
【請求項１】
ＣＡＴＶ伝送路を介してセンター局との間で双方向サービスを行うために設けられ，センター局から送出された所定数波数の下り信号を受信する放送信号受信装置と，双方向通信装置とを備えると共に，前記下り信号よりも低い周波数帯の上り信号をセンター局に送出するように構成されたＣＡＴＶ用端末装置において，
当該ＣＡＴＶ用端末装置は，
センター局側からＣＡＴＶ伝送路を介して伝送されてきた下り信号の周波数帯の信号成分のみを選択的に通過させると共に，該下り信号を複数の出力に信号分配するように構成した第１の下り信号入力経路と，
当該下り信号入力経路における出力の１つに接続された第１フィルタ回路と，
前記下り信号入力経路の他の出力に接続された前記放送信号受信装置と，
前記第１フィルタ回路の出力側に接続された双方向通信装置と，
当該双方向通信装置と前記第１フィルタ回路の接続点に接続されて，前記双方向通信装置とセンター局側とをＣＡＴＶ伝送路を介して接続するための，上り信号の周波数帯の信号のみを選択的に通過させるように構成した第１の上り信号接続経路と，
からなるＣＡＴＶ用端末装置。
【請求項２】
ＣＡＴＶ伝送路を介してセンター局との間で双方向サービスを行うために設けられ，センター局から送出された所定数波数の下り信号を受信する放送信号受信装置と，双方向通信装置とを備えると共に，前記下り信号よりも低い周波数帯の上りＬ信号と，前記下り信号よりも高い周波数帯の上りＨ信号をセンター局に送出するように構成されたＣＡＴＶ用端末装置において，
センター局側からＣＡＴＶ伝送路を介して伝送されてきた下り信号の周波数帯の信号成分のみを選択的に通過させると共に，該下り信号を複数の出力に信号分配するように構成した第２の下り信号入力経路と，
当該下り信号入力経路における出力の１つに接続された第２フィルタ回路と，
前記下り信号入力経路の他の出力に接続された前記放送信号受信装置と，
前記第２フィルタ回路の出力側に接続された双方向通信装置と，
当該双方向通信装置と前記第２フィルタ回路の接続点に接続されて，前記双方向通信装置とセンター局側とをＣＡＴＶ伝送路を介して接続するための上り信号接続経路であって，  前記上りＨ信号の周波数帯の信号のみを選択的に通過させるように構成した第２の上り信号接続経路と，
前記上りＬ信号の周波数帯の信号のみを選択的に通過させるように構成した第３の上り信号接続経路と，
からなるＣＡＴＶ用端末装置。
【請求項３】
請求項１若しくは請求項２に記載のＣＡＴＶ用端末装置を用いたことを特徴としたＣＡＴＶシステム。
【発明の詳細な説明】
【技術分野】
【０００１】
本発明は，主にＣＡＴＶに利用されるＣＡＴＶ用端末装置に関し，詳しくは  ＣＡＴＶ伝送路を介してセンター局に送出する上り信号のレベルの損失が少なく，更に流合雑音の低減可能なＣＡＴＶ用端末装置と,該装置を用いたＣＡＴＶシステムを提供することにある。
【背景技術】
【０００２】
従来のＣＡＴＶ用端末装置，例えばセットトップボックスはアナログ放送を受信できるようにするばかりでなく，放送のディジタル化に伴いＣＡＴＶ網やインターネットを介して双方向のサービスを実現したり，ディジタル放送の受信を可能にしたりするように構成されている。（例えば，特許文献１参照）
【０００３】
【特許文献１】特開２００３−２１９３１２号公報
【発明の開示】
【発明が解決しようとする課題】
【０００４】
しかし，従来のＣＡＴＶ用端末装置（代表例としてセットトップボックス。以下特に明示しないかぎりセットトップボックスで説明する。）であるセットトップボックスによると，センター局とＣＡＴＶ伝送路を介して双方向サービスを行うためには，前記セットトップボックスには双方向通信装置であるケーブルモデムを備え，当該ケーブルモデムを介して信号の送受信を行う必要があるので，前記セットトップボックスの入力端子から取込まれた信号は分配器を介して，放送信号を受信するフロントエンドと，通信を行うケーブルモデムとに接続されているのが一般的であった。
ところが，ケーブルモデムは分配器を介してＣＡＴＶ伝送路と接続されているので，前記分配器の分配損失によってケーブルモデムから出力された信号が損失することによって，セットトップボックスの出力レベルが低くなるといった問題点があった。
更に，例えば前記セットトップボックスにおいてＢＳディジタル放送ばかりでなく地上ディジタル放送も受信しようとする場合，ＣＡＴＶ網を運営するオペレーターはセンター局で受信したＢＳディジタル放送と地上ディジタル放送を，ＣＡＴＶ伝送網の特性に適した変調方式であるＱＡＭ（Ｑｕａｄｒａｔｕｒｅ  Ａｍｐｌｉｔｕｄｅ  Ｍｏｄｕｌａｔｉｏｎ：直交振幅変調）変調で再送信する施設ばかりでなく，オペレーターによっては，地上ディジタル放送波を地上ディジタル放送用アンテナで受信した信号のそのままの変調方式であるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）変調を変えることなく再送信する施設もあり，これらの施設に対応させるために，セットトップボックスに各変調方式（例えば，ＱＡＭ変調対応のフロントエンドとＯＦＤＭ変調対応のフロントエンド）のフロントエンドを備えさせて，汎用性の高いセットトップボックスを構成する場合がある。この場合はフロントエンドとケーブルモデムとＣＡＴＶ伝送路との間に介在させる分配器は更に分配数の多いものを必用とするので，ケーブルモデムの出力レベルは更に低いレベルで出力されることになる。
そこで本願においては，こうした問題点を解決するためになされたものであり，
その目的は，放送信号受信装置と双方向通信装置を備えたＣＡＴＶ用端末装置において，双方向通信装置の出力レベルを低減させないＣＡＴＶ端末装置を提供することにある。
他の目的は，放送信号受信装置と双方向通信装置を備えたＣＡＴＶ用端末装置において，安価で簡単な構成で双方向通信装置の出力レベルを低減させないＣＡＴＶ端末装置を提供することにある。
他の目的は，放送信号受信装置と双方向通信装置を備えたＣＡＴＶ用端末装置において，簡単で安価な構成で流合雑音が出力されるのを防止できるＣＡＴＶ端末装置を提供することにある。
他の目的は，放送信号受信装置と双方向通信装置を備えたＣＡＴＶ用端末装置であって，双方向通信装置の出力レベルを低減させないＣＡＴＶ端末装置を用いたＣＡＴＶシステムを提供することにある。
他の目的は，放送信号受信装置と双方向通信装置を備えたＣＡＴＶ用端末装置であって，安価で簡単な構成で双方向通信装置の出力レベルを低減させないＣＡＴＶ端末装置を用いたＣＡＴＶシステムを提供することにある。
他の目的は，放送信号受信装置と双方向通信装置を備えたＣＡＴＶ用端末装置であって，簡単で安価な構成で流合雑音が出力されるのを防止できるＣＡＴＶ端末装置を用いたＣＡＴＶシステムを提供することにある。
【課題を解決するための手段】
【０００５】
上記課題を解決するために，請求項１の発明は，ＣＡＴＶ伝送路を介してセンター局との間で双方向サービスを行うために設けられ，センター局から送出された所定数波数の下り信号を受信する少なくとも１つの放送信号受信装置と，双方向通信装置とを備えると共に，前記下り信号よりも低い周波数帯の上り信号をセンター局に送出するように構成されたＣＡＴＶ用端末装置において，当該ＣＡＴＶ用端末装置は，センター局側からＣＡＴＶ伝送路を介して伝送されてきた下り信号の周波数帯の信号成分のみを選択的に通過させると共に，該下り信号を複数の出力に信号分配するように構成した第１の下り信号入力経路と，当該下り信号入力経路における出力の１つに接続された第１フィルタ回路と，前記下り信号入力経路の他の出力に接続された前記放送信号受信装置と，前記第１フィルタ回路の出力側に接続された双方向通信装置と，当該双方向通信装置と前記第１フィルタ回路の接続点に接続されて，前記双方向通信装置とセンター局側とをＣＡＴＶ伝送路を介して接続するための，上り信号の周波数帯の信号のみを選択的に通過させるように構成した第１の上り信号接続経路と，からなるよう構成される。
【０００６】
請求項２の発明は，ＣＡＴＶ伝送路を介してセンター局との間で双方向サービスを行うために設けられ，センター局から送出された所定数波数の下り信号を受信する少なくとも１つの放送信号受信装置と，双方向通信装置とを備えると共に，前記下り信号よりも低い周波数帯の上りＬ信号と，前記下り信号よりも高い周波数帯の上りＨ信号をセンター局に送出するように構成されたＣＡＴＶ用端末装置において，センター局側からＣＡＴＶ伝送路を介して伝送されてきた下り信号の周波数帯の信号成分のみを選択的に通過させると共に，該下り信号を複数の出力に信号分配するように構成した第２の下り信号接続経路と，当該下り信号入力経路における出力の１つに接続された第２フィルタ回路と，前記下り信号入力経路の他の出力に接続された前記放送信号受信装置と，前記第２フィルタ回路の出力側に接続された双方向通信装置と，当該双方向通信装置と前記第２フィルタ回路の接続点に接続されて，前記双方向通信装置とセンター局側とをＣＡＴＶ伝送路を介して接続するための上り信号接続経路であって，前記上りＨ信号の周波数帯の信号のみを選択的に通過させるように構成した第２の上り信号接続経路と，前記上りＬ信号の周波数帯の信号のみを選択的に通過させるように構成した第３の上り信号接続経路と，からなるように構成される。
【０００７】
請求項３の発明は，請求項１若しくは請求項２に記載のＣＡＴＶ用端末装置を用いてＣＡＴＶシステムを構成する。
【発明の効果】
【０００８】
以上詳述したように，請求項１の発明によれば，ＣＡＴＶ伝送路を介してセンター局との間で双方向サービスを行うために設けられ，センター局から送出された所定数波数の下り信号を受信する少なくとも１つの放送信号受信装置と，双方向通信装置とを備えると共に，前記下り信号よりも低い周波数帯の上り信号をセンター局に送出するように構成されたＣＡＴＶ用端末装置において，当該ＣＡＴＶ用端末装置は，センター局側からＣＡＴＶ伝送路を介して伝送されてきた下り信号の周波数帯の信号成分のみを選択的に通過させると共に，該下り信号を複数の出力に信号分配するように構成した第１の下り信号入力経路と，当該下り信号入力経路における出力の１つに接続された第１フィルタ回路と，前記下り信号入力経路の他の出力に接続された前記放送信号受信装置と，前記第１フィルタ回路の出力側に接続された双方向通信装置と，当該双方向通信装置と前記第１フィルタ回路の接続点に接続されて，前記双方向通信装置とセンター局側とをＣＡＴＶ伝送路を介して接続するための，上り信号の周波数帯の信号のみを選択的に通過させるように構成した第１の上り信号接続経路と，からなるように構成したので，簡単で安価な構成で上り信号の出力レベルを低下させることが無く，しかもＣＡＴＶ伝送路には流合雑音の要因となる雑音信号を通過させないＣＡＴＶ用端末装置を提供できるのである。
【０００９】
請求項２の発明によれば，ＣＡＴＶ伝送路を介してセンター局との間で双方向サービスを行うために設けられ，センター局から送出された所定数波数の下り信号を受信する少なくとも１つの放送信号受信装置と，双方向通信装置とを備えると共に，前記下り信号よりも低い周波数帯の上りＬ信号と，前記下り信号よりも高い周波数帯の上りＨ信号をセンター局に送出するように構成されたＣＡＴＶ用端末装置において，センター局側からＣＡＴＶ伝送路を介して伝送されてきた下り信号の周波数帯の信号成分のみを選択的に通過させると共に，該下り信号を複数の出力に信号分配するように構成した第２の下り信号接続経路と，当該下り信号入力経路における出力の１つに接続された第２フィルタ回路と，前記下り信号入力経路の他の出力に接続された前記放送信号受信装置と，前記第２フィルタ回路の出力側に接続された双方向通信装置と，当該双方向通信装置と前記第２フィルタ回路の接続点に接続されて，前記双方向通信装置とセンター局側とをＣＡＴＶ伝送路を介して接続するための上り信号接続経路であって，前記上りＨ信号の周波数帯の信号のみを選択的に通過させるように構成した第２の上り信号接続経路と，前記上りＬ信号の周波数帯の信号のみを選択的に通過させるように構成した第３の上り信号接続経路と，からなるように構成したので，簡単で安価な構成で上りＨ信号でも上りＬ信号でも出力レベルを低下させることが無く送出でき，しかもＣＡＴＶ伝送路には流合雑音の要因となる雑音信号を通過させないＣＡＴＶ用端末装置を提供できるのである。
【００１０】
請求項３の発明によれば，請求項１若しくは請求項２に記載のＣＡＴＶ用端末装置を用いてＣＡＴＶシステムを構成したので，上り信号のＣ／ＮのよいＣＡＴＶシステムを提供できるのである。
【発明を実施するための最良の形態】
【００１１】
以下に，本発明を具体化した実施形態の例を，図面を基に詳細に説明する。
図１は本発明に係るセットトップボックスの構成を示す。図２は本発明に係るセットトップボックスの他の実施例の構成を示す。図３は図１に示すセットトップボックスの異なる実施例を示す。図４は図１に示すセットトップボックスを用いたＣＡＴＶシステムの実施例を示す。
【実施例１】
【００１２】
本願に示すＣＡＴＶ用端末装置は，ＣＡＴＶ伝送路を介して双方向サービスを行う事ができるものであるが，図１にはＣＡＴＶ用端末装置の代表例としてセットトップボックスの実施例を示し，以下特に記載しない限りセットトップボックスを用いて説明する。また図１は本発明に関する部分を特に示したものであり，一般的に付加される機能については記載していない。
図１において，少なくとも地上波ディジタル放送の信号を含むディジタル信号は，ＣＡＴＶ伝送路を介して入力端子Ｔｉｎから入力される。入力されたディジタル信号は信号接続経路を介して３０に示す放送信号受信装置と４０に示す双方向通信装置２１等に接続されている。
【００１３】
入力端子Ｔｉｎから入力された信号は，カットオフ周波数７０ＭＨｚのハイパスフィルタ（以下，ＨＰＦと記載する。）３１と，分配回路３２とからなる下り信号入力経路に接続される。本実施例では分配回路３２は４分配回路で構成されている。該分配回路の出力３２−２，３２−３，３２−４は放送信号受信装置３０に接続されており，該放送信号受信装置３０に下り信号（例えば，７０〜７７０ＭＨｚ帯）が入力されている。尚，前記ＨＰＦ３１と分配回路３２は，下り信号の周波数帯の信号成分のみを選択的に通過させると共に，該下り信号を複数の出力に信号分配するように構成しており，請求項１に記載の第１の下り信号接続経路として機能する。
【００１４】
また，分配回路３２の出力３２−１には７０ＭＨｚをカットオフ周波数とするＨＰＦ３３が接続されている。該ＨＰＦ３３の出力側には双方向通信装置４０を構成するケーブルモデム（以下，特に説明の無い限り双方向通信装置はケーブルモデムと記載する。）２１接続されており，該ケーブルモデム２１に下り信号（例えば，７０〜７７０ＭＨｚ帯）が入力されている。尚，前記ＨＰＦ３３は，下り信号の周波数帯の信号成分のみを選択的に通過させるように構成されており，請求項１に記載の第１フィルタ回路である。
【００１５】
次に，前記ＨＰＦ３３とケーブルモデム２１との相互接続点には，カットオフ周波数５５ＭＨｚのローパスフィルタ（以下，ＬＰＦと記載する。）３４からなる上り信号接続経路が接続されている。このＬＰＦ３４の出力は前記ケーブルモデム２１から出力される上り信号（例えば，１０〜５５ＭＨｚ帯）を入力端子ＴｉｎからＣＡＴＶ伝送路に送出する。尚，前記ＬＰＦ３４は，上り信号の周波数帯の信号成分のみを選択的に通過させるように構成されており，請求項１に記載の第１の上り信号接続経路である。
【００１６】
放送信号受信装置３０について説明する。本実施例ではディジタル放送を受信するための放送信号受信装置３０を示している。
３はＣＡＴＶ伝送路に伝送されているディジタル信号の中から，ＱＡＭ変調（Ｑｕａｄｒａｔｕｒｅ  Ａｍｐｌｉｔｕｄｅ  Ｍｏｄｕｌａａｔｉｏｎ：直交振幅変調。以下ＱＡＭ変調と記載する。）されたディジタル信号を受信して，当該受信信号から所定の信号を選局すると共に復調して，ＴＳ（Ｔｒａｎｓｐｏｒｔ  Ｓｔｒｅａｍ）信号（以下，ＴＳ信号と記載する。）を出力するように構成されたＱＡＭ変調方式に対応したフロントエンドである。
このＱＡＭ変調方式のフロントエンド３において生成されたＴＳ信号は切替部７に出力される。
【００１７】
４はＣＡＴＶ伝送路に伝送されている信号の中から，ＯＦＤＭ変調（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重。以下，ＯＦＤＭ変調と記載する。）されたディジタル信号を受信して，当該受信信号から所定の信号を選局すると共に復調して，ＴＳ信号を出力するように構成されたＯＦＤＭ変調方式に対応したフロントエンドである。
このＯＦＤＭ変調方式のフロントエンド４において生成されたＴＳ信号は切替部７に出力される。
【００１８】
前記切替部７はＯＦＤＭ変調方式に対応したフロントエンド４若しくはＱＡＭ変調方式に対応したフロントエンド３から出力されたＴＳ信号の経路を切り替えるための切替部であり，この切替制御は１５に示す制御部で行われる。
この切替部７から出力されたＴＳ信号は，５に示すＣＡ（Ｃｏｎｄｉｔｉｏｎａｌ  Ａｃｃｅｓｓ）デスクランブラに入力される。
このＣＡデスクランブラ５はＣＡＴＶ伝送路に伝送される信号の内，例えば有料放送や著作権保護された信号を受信するような場合において，ＩＣカードなどのＣＡモジュール５ａを挿入することで映像信号及び音声信号がデスクランブルされて，受信可能となるように構成されている。
このＣＡデスクランブラ５でデスクランブルされたＴＳ信号は，１０に示すデータ信号デコーダ部において復号され，映像出力端子Ｖｏｕｔ，音声出力端子Ａｏｕｔ等から出力される。
【００１９】
１５は制御部であって，前記ＱＡＭ変調方式用のフロントエンド３若しくはＯＦＤＭ変調方式用のフロントエンド４から出力される信号の中から，ＣＡＴＶ伝送路に伝送されている地上波ディジタル信号の変調方式がＱＡＭ変調かＯＦＤＭ変調かを判定するための制御部である。また，この判定の結果によってＣＡデスクランブラ５に入力されるＴＳ信号を，ＱＡＭ変調のフロントエンドから受け入れるか，ＯＦＤＭ変調のフロントエンドから受け入れるかの経路を切り替えるための切替部７の制御を行う。また，この制御部１５では，ＣＡデスクランブラ５に入力された信号の内，有料放送や著作権保護された放送などを受信するかどうかをＩＣカードなどのＣＡモジュール５ａを介して制御する。
【００２０】
更に，制御部１５では，前記ＱＡＭ変調方式用のフロントエンド３若しくはＯＦＤＭ変調方式用のフロントエンド４の動作する順番を制御することもできる。
一例として，セットトップボックスの電源をＯＮにしたときのデフォルト状態において，特に優先するフロントエンドを決めずに夫々が受信帯域をスキャンし，所定変調方式の信号を受信したフロントエンドからの信号によって，前記切替部７を介して，前記ＣＡデスクランブラに入力されるＴＳ信号経路を自動的に切り替えるように制御しても良い。
【００２１】
また，セットトップボックスの電源をＯＮにしたときのデフォルト状態において，特に優先するフロントエンドを予め設定できるように制御部１５によって制御するようにしても良い。つまり，デフォルト状態では前記ＱＡＭ変調方式用のフロントエンド３が先にスキャンするように優先設定を行うか，前記ＯＦＤＭ変調用のフロントエンド４が先にスキャンするように優先設定を予め設定しておいて，そのスキャンの結果（例えばＱＡＭ変調方式による地上ディジタル放送を検出しなかった場合。）に基づいて，次の変調方式（この場合，ＯＦＤＭ変調方式用のフロントエンド４による）のスキャンを行うように制御する方法である。
【００２２】
更に加えて，優先するフロントエンドを何時でも何処でも設定可能なように構成しても良い。つまり，例えば図１のフロントパネルの表示部１８に備えたＴ１に示すキー入力によって優先するフロントエンドをＱＡＭ変調方式にするか，ＯＦＤＭ変調方式にするかを制御できるようにしても良いし，リモコンによって設定できるようにしても良い。また，Ｔ２に示すイーサネット（Ｒ）コネクターを介して外部に備えたパソコン等によって優先するフロントエンドをＱＡＭ変調方式にするか，ＯＦＤＭ変調方式にするかを制御部１５によって制御できるようにしても良い。
【００２３】
６はメモリーであり，センター局から送出される信号から前述のフロントエンドによって選局・復調して得られるＴＳ信号に含まれるＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）を復号したものやスキャンした後の周波数テーブル情報を保存するメモリ−である。
２０は電源部であり，本願の実施例では図示されていないスイッチによって，セットトップボックスの電源をＯＮにしたり，スタンバイにしたり，ＯＦＦにしたりできるようになっている。制御部１５はこのスイッチの状態を判定するように構成されている。
２２は下り信号通過経路であって，前記第１の下り信号接続経路の出力３２−４と接続されており下り信号をＲＦ出力端子から出力することができる。尚，更に前記下り信号通過経路２２に，抵抗（７５Ω）と５５ＭＨｚをカットオフ周波数とするＬＰＦを直列に接続した，上り信号帯域を終端する回路を備えても良く，これによって更に流合雑音がＲＦ出力端子からセンター局に流出することが防止できる。
【００２４】
２１はケーブルモデムであり，ＣＡＴＶ網やインターネットを介しての双方向サービスを行うためのものであり，このケーブルモデム２１は例えばイーサネット（Ｒ）ケーブルを介して制御部１５と接続されると共に，イーサネット（Ｒ）コネクターＴ３を介してパソコン等と接続できるようになっている。尚，本実施例においてはケーブルモデム２１と前記放送信号受信装置とを内蔵させたセットトップボックスを示したが，図４に示す如くケーブルモデム２１は外付けにしても良いことは言うまでもない
【００２５】
次に，接続経路の異なる実施例を備えたセットトップボックスについて図２を用いて説明する。この実施例においては，センター局から送出された所定数波数の下り信号を受信する放送信号受信装置３０と，双方向通信装置４０とを備えると共に，前記下り信号よりも低い周波数帯の上りＬ信号と，前記下り信号よりも高い周波数帯の上りＨ信号をセンター局に送出するように構成されている。尚，前述に説明したものと同様の構成をしたものは特に説明しない限り同じの番号を付与して説明する。
【００２６】
入力端子Ｔｉｎから入力された信号は，カットオフ周波数７０ＭＨｚのハイパスフィルタ（以下，ＨＰＦと記載する。）４１と，カットオフ周波数６００ＭＨｚのＬＰＦ４２と，分配回路４３とからなる下り信号入力経路に接続される。本実施例では分配回路４３は４分配回路で構成されている。該分配回路４３の出力４３−２，４３−３，４３−４は放送信号受信装置３０に接続されており，該放送信号受信装置３０に下り信号（例えば，７０〜６００ＭＨｚ帯）が入力されている。尚，前記ＨＰＦ４１，ＬＰＦ４２と分配回路４３は，下り信号の周波数帯の信号成分のみを選択的に通過させると共に，該下り信号を複数の出力に信号分配するように構成しており，請求項２に記載の第２の下り信号入力経路として機能する。
【００２７】
また，分配回路４３の出力４３−１には７０〜６００ＭＨｚを通過帯域とするＢＰＦ４４が接続されている。該ＢＰＦ４４の出力側には双方向通信装置４０を構成するケーブルモデム２１に接続されており，該ケーブルモデム２１に下り信号（例えば，７０〜６００ＭＨｚ帯）が入力されている。尚，前記ＢＰＦ４４は，下り信号の周波数帯の信号成分のみを選択的に通過させるように構成されており，請求項２に記載の第２フィルタ回路である。尚この第２フィルタ回路はＢＰＦに限定されるものでなく，同様の効果を得られるのならば異なる構成でも良い。
【００２８】
次に，前記ＢＰＦ４４とケーブルモデム２１との相互接続点には，７０〜６００ＭＨｚを阻止帯域とするバンドエルミネーションフィルター（以下，ＢＥＦと記載する。）４５と，カットオフ周波数６５０ＭＨｚとするＨＰＦ４６，カットオフ周波数６５０ＭＨｚとするＨＰＦ４７，カットオフ周波数７０ＭＨｚとするＨＰＦ４１とからなる上りＨ信号接続経路が接続されていると共に，７０〜６００ＭＨｚを阻止帯域とするバンドエルミネーションフィルター（以下，ＢＥＦと記載する。）４５と，カットオフ周波数５５ＭＨｚとするＬＰＦ４８，カットオフ周波数５５ＭＨｚとするＬＰＦ４９とからなる上りＬ信号接続経路が接続されており，前記ケーブルモデム２１から出力される上りＨ信号（例えば，６５０〜７７０ＭＨｚ帯）若しくは上りＬ信号（例えば，１０〜５５ＭＨｚ）をＣＡＴＶ伝送路に送出する。尚，前記ＢＥＦ４５，ＨＰＦ４６，ＨＰＦ４７，ＨＰＦ４１は，上りＨ信号の周波数帯の信号成分のみを選択的に通過させるように構成されており，請求項２に記載の第２の上り信号接続経路である。また，ＢＥＦ４５，ＬＰＦ４８，ＬＰＦ４９は，上りＬ信号の周波数帯の信号成分のみを選択的に通過させるように構成されており，請求項２に記載の第３の上り信号接続経路である。
【００２９】
図３は図１のセットトップボックスを用いたＣＡＴＶシステムを示す。この図において衛星からの信号や地上波ディジタル放送等の信号は，アンテナ５０，５１で受信され分配器５２，５４を介してそれぞれ複数のチューナー５３，５４に入力される。チューナーの出力は変調器５８でＣＡＴＶ伝送路に適した信号に変調されてから混合器５９を介してＣＡＴＶ伝送路７０に送出される。
セットトップボックス（ＳＴＢ）管理装置６０，ケーブルモデム管理装置６１，メールサーバー６２等はスイッチング（ＳＷ）ハブを介して複数のケーブルモデムターミナルシステム（以下，ＣＭＴＳと記載する。）６５と接続され，このＣＭＴＳ６５は混合器６６，５９を介してセンター局１００からＣＡＴＶ伝送路７０を介してセットトップボックス１と接続されている。８０はパーソナルコンピューター，８１はテレビ受像機である。
【００３０】
このように，本発明のセットトップボックス１を用いれば，センター局からの下り信号は第１の下り信号入力経路を介して放送信号受信装置３０に入力されると共に，ケーブルモデム２１にも入力される。更にケーブルモデム２１から出力される上り信号は，第１の上り信号接続経路であるＬＰＦ３４を介してセンター局側に送出されるので，該上り信号のレベル損失がフィルターのロス分だけとなるので，高い出力レベルが得られるセットトップボックスが提供できるのである。この事は前述のように上り信号接続経路に上りＨ信号接続経路よ上りＬ信号接続経路の２系統の接続経路をもたせても同様の効果が得られるのである。
更には，放送信号受信装置３０との接続点がいくつあっても，ＨＰＦ３１だけで上り雑音成分がセンター局に送出されることが防止できるので，このセットトップボックス１を用いれば，流合雑音による妨害の無いＣＡＴＶシステムが提供できるのである。
尚，本発明は上記実施の形態に限定されるものではなく，本発明の趣旨を逸脱しない範囲で各部のフィルター等の構成を適宜に変更して実施することも可能である。
【図面の簡単な説明】
【００３１】
【図１】本発明に係るセットトップボックスの構成を示す。
【図２】本発明に係るセットトップボックスの他の実施例の構成を示す。
【図３】図１に示すセットトップボックスの異なる実施例を示す。
【図４】図１に示すセットトップボックスを用いたＣＡＴＶシステムの実施例を示す。
【符号の説明】
【００３２】
１…セットトップボックス（ＣＡＴＶ用端末装置），３…ＱＡＭ変調方式のチューナー／復調部（フロントエンド），４…ＯＦＤＭ変調方式のチューナー／復調部（フロントエンド），５…ＣＡデスクランブラ，５ａ…ＣＡモジューラ，６…メモリー，７…切替部，１０…データ信号デコーダ部，１５…制御部，１８…表示部，２０…電源部，２１…ケーブルモデム，３０…放送信号受信装置，３１…ＨＰＦ，３２…分配回路，３２−１，２，３，４…分波出力，３３…ＨＰＦ，３４…ＬＰＦ，４０…双方向通信装置，４１…ＨＰＦ，４２…ＬＰＦ，４３…分配回路，４３−１，２，３，４…分配出力，４４…ＢＰＦ，４５…ＢＥＦ，４６…ＨＰＦ，４７…ＨＰＦ，４８…ＬＰＦ，４９…ＬＰＦ，５１…受信アンテナ，５２，５４…分配器，５３，５６…チューナー，５８…変調器，５９，６６…混合器，６０…セットトップボックス管理装置，６１…ケーブルモデム管理装置，６２…メールサーバー等，６３…スイッチングハブ，６４…ルーター，６５…ＣＭＴＳ，７０…ＣＡＴＶ伝送路，８０…パーソナルコンピューター，８１…テレビ受像機
【図１】
2005176113.tif 000003
【図２】
2005176113.tif 000004
【図３】
2005176113.tif 000005
【図４】
2005176113.tif 000006